(57)【要約】【課題】開極時に固定接触子及び可動接触子間に発生するアークを容易に消弧することができる接点装置及びこれを使用した電磁開閉器を提供する。【解決手段】接点装置は、所定間隔を保って固定配置された一対の固定接触子１１１，１１２と、該一対の固定接触子に対して接離可能に配設された可動接触子１３０とを収納する接点収納ケース１０２を備え、前記可動接触子の前記一対の固定接触子と対向する端面が接点部を中心とする円弧状端面１３０ａ，１３０ｂに形成され、且つ前記接点収納ケースの可動接触子の円弧状端面に対向する内壁が前記可動接触子の接点部を中心とする半円筒面１０２ａ，１０２ｂに形成されている。【選択図】図２
2014110094.tif 000002
【特許請求の範囲】
【請求項１】
所定間隔を保って固定配置された一対の固定接触子と、該一対の固定接触子に対して接離可能に配設された可動接触子とを収納する接点収納ケースを備え、
前記可動接触子の前記一対の固定接触子と対向する端面が接点部を中心とする円弧状端面に形成され、且つ前記接点収納ケースの可動接触子の円弧状端面に対向する内壁が前記可動接触子の接点部を中心とする半円筒面に形成されている
ことを特徴とする接点装置。
【請求項２】
前記可動接触子の円弧状端面の直径は、当該可動接触子の幅と等しく設定されて、可動接触子の平面視形状が長円形に形成されていることを特徴とする請求項１に記載の接点装置。
【請求項３】
前記接点収納ケースの半円筒面の直径は、接点収納ケースの内壁間の幅と等しく設定されて、接点収納ケースの内壁が平面視形状が長円形状に形成されていることを特徴とする請求項１又は２に記載の接点装置。
【請求項４】
前記接点収納ケースの外周面は直方体形状に形成され、互いに対向する少なくとも一対の外周面に互いに対向するアーク消弧用永久磁石が配置されていることを特徴とする請求項１から３の何れか１項に記載の接点装置。
【請求項５】
前記接点収納ケースの外周面は直方体形状に形成され、互いに対向する二対の外周面のそれぞれ互いに対向するアーク消弧用永久磁石が配置されていることを特徴とする請求項１から３の何れか１項に記載の接点装置。
【請求項６】
互いに対向する前記アーク消弧用磁石の対向面が異極性とされていることを特徴とする請求項４又は５に記載の接点装置。
【請求項７】
互いに対向する前記アーク消弧用永久磁石の対向面が同極性とされていることを特徴とする請求項４又は５に記載の接点装置。
【請求項８】
互いに対向する前記アーク消弧用永久磁石の対向面が同極性とされ、一方の一対のアーク消弧用永久磁石の対向面の極性と他方の一対のアーク消去用永久磁石の対向面の極性とが異極性とされていることを特徴とする請求項５に記載の接点装置。
【請求項９】
前記請求項１から８の何れか１項に記載の接点装置を備え、前記可動接触子が電磁石装置の可動鉄心に連結され、前記一対の固定接触子が外部接続端子に接続されていることを特徴とする電磁開閉器。
【発明の詳細な説明】
【技術分野】
【０００１】
本発明は、所定間隔を保って配置された一対の固定接触子と、これら固定接触子に接離可能に配置された可動接触子とを接点収納ケース内に配置した接点装置及びこれを使用した電磁開閉器に関する。
【背景技術】
【０００２】
電流路の開閉を行う接点装置として、従来、電磁継電器や電磁接触器などの電磁開閉器では、固定接触子及び可動接触子が接触している接点機構の閉成状態から電流を遮断して開成状態とするために可動接触子を固定接触子から離間させる開極時に発生するアークを消弧する接点機構が種々提案されている。
【０００３】
例えば、所定距離だけ離間して配設されたそれぞれ第１の固定接触子及び第２の固定接触子を支持する固定接触子支持筐体と、この固定接触子支持筐体内に前記第１の固定接触子及び第２の固定接触子と接離可能に配置された可動接触子と、可動接触子の長手方向と直行する方向で当該可動接触子を挟んで平行に配置され、互いの対向磁極面が同一極性とされた一対の消弧用磁石体と、前記可動接触子を第１の固定接触子及び第２の固定接触子に対して接離可能に駆動する駆動機構とを備えた電磁接触器が提案されている（例えば、特許文献１参照）。ここで、固定接触子支持筐体は、少なくとも第１の固定接触子及び第２の固定接触子と可動接触子との接点部を囲む内壁が可動接触子の長手方向端部に対向する垂直面とこの垂直面の前後端部から可動接触子の長手方向に沿って延長する前後垂直面とで角筒内面形状に形成されている。
【先行技術文献】
【特許文献】
【０００４】
【特許文献１】特開２０１２−１６０４２７号公報
【発明の概要】
【発明が解決しようとする課題】
【０００５】
ところで、上記特許文献１に記載された従来例にあっては、固定接触子支持筐体の内周面で消弧空間となる略密閉空間を形成するようにしており、この消弧空間で、可動接触子の接点が一対の固定接触子の接点から離間する開極時に発生するアークを消弧するようにしている。
しかしながら、可動接触子と固定接触子支持筐体の内周面との平面視における距離は、可動接触子の端部は方形又は円形に近い形状であるが、固定接触子支持筐体の内周面が角筒状に形成されている。このため、可動接触子の端部と固定接触子支持筐体の内周面との間の間隔は一定とならない。そして、アークの飛ぶ方向は一対の固定接触子に可動接触子が接触したときに電源側から負荷側へ流れる電流値によって変化することにより、アークの飛ぶ方向によってアーク伸長距離が変化することになり、アークの発弧が不安定となるという未解決の課題がある。さらに、アークが固定接触子支持筐体の壁面に対して、垂直に当たらないので、壁面に到達したアークが到達した壁面に留まらずに、アークの形状が部分的に途切れて、再発弧を繰り返すなどアーク遮断性能が低下するという未解決の課題もある。
【０００６】
そこで、本発明は、上記従来例の未解決の課題に着目してなされたものであり、開極時に発生するアークを安定して消弧することができ、アーク遮断性能を向上させることができる接点装置及びこれを使用した電磁開閉器を提供することを目的としている。
【課題を解決するための手段】
【０００７】
上記目的を達成するために、本発明に係る接点装置の第１の態様は、所定間隔を保って固定配置された一対の固定接触子と、該一対の固定接触子に対して接離可能に配設された可動接触子とを収納する接点収納ケースを備えている。そして、前記可動接触子の前記一対の固定接触子と対向する端面が接点部を中心とする円弧状端面に形成され、且つ前記接点収納ケースの可動接触子の円弧状端面に対向する内壁が前記可動接触子の接点部を中心とする半円筒面に形成されている。
【０００８】
また、本発明に係る接点装置の第２の態様は、前記可動接触子の円弧状端面の直径が、当該可動接触子の幅と等しく設定されて、可動接触子の平面視形状が長円形に形成されている。
また、本発明に係る接点装置の第３の態様は、前記接点収納ケースの半円筒面の直径が、接点収納ケースの内壁間の幅と等しく設定されて、接点収納ケースの内壁が平面視形状が長円形状に形成されている。
【０００９】
また、本発明に係る接点装置の第４の態様は、前記接点収納ケースの外周面は直方体形状に形成され、互いに対向する少なくとも一対の外周面に互いに対向するアーク消弧用永久磁石が配置されている。
また、本発明に係る接点装置の第５の態様は、前記接点収納ケースの外周面は直方体形状に形成され、互いに対向する二対の外周面のそれぞれ互いに対向するアーク消弧用永久磁石が配置されている。
また、本発明に係る接点装置の第６の態様は、互いに対向する前記アーク消弧用磁石の対向面が異極性とされている。
【００１０】
また、本発明に係る接点装置の第７の態様は、互いに対向する前記アーク消弧用永久磁石の対向面が同極性とされている。
また、本発明に係る接点装置の第８の態様は、互いに対向する前記アーク消弧用永久磁石の対向面が同極性とされ、一方の一対のアーク消弧用永久磁石の対向面の極性と他方の一対のアーク消去用永久磁石の対向面の極性とが異極性とされている。
また、本発明に係る電磁開閉器の第１の態様は、前記第１の態様から第７の態様に係る接点装置を備え、前記可動接触子が電磁石装置の可動鉄心に連結され、前記一対の固定接触子が外部接続端子に接続されている。
【発明の効果】
【００１１】
本発明によれば、可動接触子と一対の固定接触子との接触位置からこれらを囲む接点収納ケースの内壁面までの距離が半径方向に略等しく設定されているので、可動接触子が一対の固定接触子から離間する開極時に発生するアークの方向が変化してもアークの伸長長さが等しくなり、均一な消弧機能を発揮することができ、アークの再発弧を防止して安定してアークを消弧することができる。
また、上記効果を有する接点装置を電磁開閉器に適用することにより、簡易な構成で開極時に発生するアークの消弧を確実に行って遮断性能を向上させることができる電磁接触器、電磁継電器等の電磁開閉器を提供することができる。
【図面の簡単な説明】
【００１２】
【図１】本発明を電磁接触器に適用した場合の第１の実施形態を示す断面図である。
【図２】接点収納ケースの概略構成を示す模式図であって、（ａ）は接点収納ケースの天板を取り外した平面図、（ｂ）は（ａ）のＡ−Ａ線上の断面図、（ｃ）は（ａ）のＢ−Ｂ線上の断面図である。
【図３】接点装置に流れる電流とアークに発生する力との関係を示す特性線図である。
【図４】本発明の第２の実施形態を示す図２（ａ）と同様の平面図である。
【図５】本発明の第３の実施形態を示す図２（ａ）と同様の平面図である。
【発明を実施するための形態】
【００１３】
以下、本発明の実施の形態について図面を伴って説明する。
図１は本発明に係る接点装置を電磁接触器に適用した場合の第１の実施形態を示す断面図である。この図１において、１０は電磁接触器であり、この電磁接触器１０は接点機構を配置した接点装置１００と、この接点装置１００を駆動する電磁石ユニット２００とで構成されている。
接点装置１００は、図１及び図２から明らかなように、接点機構１０１を収納する消弧室としての接点収納ケース１０２を有する。この接点収納ケース１０２は、例えばセラミックスを主成分とする絶縁性の下端を開放する桶状体１０３と、この桶状体１０３の下端面に接合された金属角筒体１０４とで構成されている。金属角筒体１０４は、そのフランジ部１０５が後述する電磁石ユニット２００の上部磁気ヨーク２１０にシール接合されて固定されている。
【００１４】
また、桶状体１０３の天板１０３ａには、中央部に後述する一対の固定接触子１１１及び１１２を挿通する貫通孔１０６及び１０７が所定間隔を保って形成されている。
接点機構１０１は、図１に示すように、接点収納ケース１０２の天板１０３ａの貫通孔１０６及び１０７に挿通されて固定された一対の固定接触子１１１及び１１２を備えている。これら固定接触子１１１及び１１２のそれぞれは、天板１０３ａの貫通孔１０６及び１０７に挿通される上端に外方に突出するフランジ部１１３を有する接点支持導体部１１４と、この支持導体部１１４に連結されて天板１０３ａの下面側に配設され内方端に平坦な接点部１１５を形成した接点導体部１１６とを備えている。
【００１５】
そして、固定接触子１１１及び１１２の接点導体部１１６に下方から対向するように例えば銅製の可動接触子１３０が配設されている。この可動接触子１３０は後述する電磁石ユニット２００の可動鉄心２１２に固定された連結軸１３１に支持されている。この可動接触子１３０は、図１に示すように、中央部に連結軸１３１を挿通する貫通孔１３２が形成されている。
【００１６】
連結軸１３１は、上端に外方に突出するＣリング又はＥリングでなる止め輪１３１ａによって固定リング１３１ｂが抜け止めされ、この固定リング１３１ｂの下側に可動接触子１３０が接触スプリング１３９によって上方に付勢されて配置されている。
ここで、固定接触子１１１，１１２の接点導体部１１６及びその底面の接点部１１５は図２（ａ）に示すように、断面円形に形成されている。これに対して、可動接触子１３０は、図２（ａ）に示すように、長手方向の両端面が固定接触子１１１，１１２の接点部１１５の中心を中心とし、直径を可動接触子１３０の幅Ｗと一致させた半円形端面１３０ａ及び１３０ｂとされている。したがって、可動接触子１３０は平面から見て長円形に形成されている。
【００１７】
この可動接触子１３０は、釈放状態で、両端の接点部１３０ｃ，１３０ｄと固定接触子１１１及び１１２の接点導体部１１６の平坦な接点部１１５とが所定間隔を保って離間した状態となる。また、可動接触子１３０は、投入位置で、両端の接点部が固定接触子１１１及び１１２の接点導体部１１６の下端の平坦な接点部１１５に、接触スプリング１３９による所定の接触圧で接触するように設定されている。
【００１８】
一方、固定接触子１１１，１１２と可動接触子１３０とを収納する接点収納ケース１０２の内壁面は、図２（ａ）に示すように平面視で、可動接触子１３０の半円形端面１３０ａ及び１３０ｂの中心を中心とする半円筒面１０２ａ及び１０２ｂとこれら半円筒面１０２ａ及び１０２ｂの端縁を結ぶ垂直平坦面１０２ｃ及び１０２ｄとで可動接触子１３０と相似形の長円形の壁面とされている。
【００１９】
したがって、固定接触子１１１，１１２の接点部１１５の中心位置から接点収納ケース１０２の半円筒面１０２ａ及び１０２ｂまでの距離は平面から見た半円形部の何れの角度でも等しく設定されている。
一方、接点収納ケース１０２の外周側面は、図２（ａ）〜（ｃ）に示すように、長手方向の中央線が可動接触子１３０の中央線及び内壁面の中央線と一致する直方体の外周面となる長方形状に形成されている。
【００２０】
そして、接点収納ケース１０２の外周面の長手方向の互いに対向する両端面に永久磁石１４３及び１４４が配置されている。これら永久磁石１４３及び１４４はともに左端側がＮ極に右端側がＳ極に着磁されており、両永久磁石１４３及び１４４で形成される磁束が固定接触子１１１から可動接触子１３０を経て固定接触子１１２に達する電流の方向と逆方向となるように設定されている。
【００２１】
このため、後述するように可動接触子１３０の接点部１３０ｃ，１３０ｄが固定接触子１１１及び１１２の接点部１１５に接触している状態から固定接触子１１１及び１１２から下方に離間する開極状態となったときに発生するアークの伸長方向が、永久磁石１４３及び１４４によって形成される磁束によって、図２（ａ）に示すように、固定接触子１１１側では中央線Ｌ０と固定接触子１１１の接点部１１５の中心を通って直交する線Ｌ１とで表される座標で、左後方となる第２象限にアークが発生し、固定接触子１１２側では中央線Ｌ０と固定接触子１１２の接点部１１５の中心を通って直交する線Ｌ２とで表される座標で、右前方となる第４象限にアークが発生する。このアークの方向は、固定接触子１１１から可動接触子１３０を経て固定接触子１１２に至る供給電流の電流値によって変化する。
【００２２】
すなわち、供給電流とアークに発生する力との関係は、図３に示すように、接点収納ケース１０２を平面から見たときに、長手方向をＸ方向とし、短手方向（幅方向）をＹ方向としたときに、Ｘ方向については傾きが大きい特性線Ｌｘで表され、Ｙ方向については特性線Ｌｘに対して傾きが緩やかな特性線Ｌｙで表される。これら特性線Ｌｘ及びＬｙは供給電流が大きいときに交点Ｐを有する。
【００２３】
ここで、アークは基本的にはＹ方向に伸長させて遮断したいが、Ｘ方向の力が発生するため、このＸ方向の力によってアークの伸長方向が変化する。すなわち、供給電流が小さいＩＳである場合には、Ｘ方向のアークに発生する力成分は小さくく、Ｙ方向のアークに発生する力は大きいため、アークは略Ｙ方向に伸長する。
ところが、供給電流が交点Ｐを通る大きく値ＩＬである場合には、Ｘ方向の力成分とＹ方向の力成分が等しいので、アークはＹ方向から４５度傾いた方向に伸長される。
【００２４】
さらに、供給電流が電流ＩＳ及びＩＬの中間の電流ＩＭであるときには、Ｙ方向と電流が大きいＩＬときの４５度の方向との中間の方向に伸長する。
このように、アークの伸長方向が供給電流の値によって変化する場合で、固定接触子１１１，１１２の接点部１１５及び可動接触子１３０の接点部１３０ｃ，１３０ｄの中心と接点収納ケース１０２の内壁面である半円筒面１０２ａ及び１０２ｂとの距離が変化しないので、アークが半円筒面１０２ａ及び１０２ｂに向かう何れの方向に伸長してもアークの伸長長さが変化することはない。したがって、アークの発弧が不安定になることがなく、安定して発弧させることができる。
【００２５】
しかも、半円筒面１０２ａ及び１０２ｂは固定接触子１１１，１１２の接点部１１５及び可動接触子１３０の接点部１３０ｃ，１３０ｄの中心線と同心的に形成されているので、伸長したアークが半円筒面１０２ａ及び１０２ｂに対して垂直に接触することなる。
このため、アークが半円筒面１０２ａ及び１０２ｂの略同一円周位置に留まることになり、アーク形状が途切れることがなく、再発弧を繰り返すことを確実に防止することができる。
【００２６】
このように、上記構成によると、アークの方向が供給電流によって変化しても、安定した発弧を行うことができるとともにアーク形状が途切れることがなく、再発弧を繰り返すことを確実に防止することができるので、アークを最大限に伸長させた状態で確実に消弧することが可能となる。
電磁石ユニット２００は、図１に示すように、側面から見てＵ字形状の磁気ヨーク２０１を有し、この磁気ヨーク２０１の底板部２０２の中央部に円筒状補助ヨーク２０３が固定されている。この円筒状補助ヨーク２０３の外側にスプール２０４が配置されている。
【００２７】
このスプール２０４は、円筒状補助ヨーク２０３を挿通する中央円筒部２０５と、この中央円筒部２０５の下端部から半径方向外方に突出する下フランジ部２０６と、中央円筒部２０５の上端より僅かに下側から半径方向外方に突出する上フランジ部２０７とで構成されている。そして、中央円筒部２０５、下フランジ部２０６及び上フランジ部２０７で構成される収納空間に励磁コイル２０８が巻装されている。
【００２８】
そして、磁気ヨーク２０１の開放端となる上端間に上部磁気ヨーク２１０が固定されている。この上部磁気ヨーク２１０は、中央部に固定鉄心２１１を嵌合支持する貫通孔２１０ａが形成されている。
そして、スプール２０４の中央円筒部２０５の上部側に固定鉄心２１１が配置されている。この固定鉄心２１１の対向する下部側に所定距離離間して可動鉄心２１２が配置され、この可動鉄心２１２と固定鉄心２１１との間に復帰スプリング２１４を配設されている。
そして、可動鉄心２１２に可動接触子１３０を支持する連結軸１３１が固定されている。
【００２９】
そして、固定鉄心２１１及び可動鉄心２１２が非磁性体製で有底筒状に形成されたキャップ２３０で覆われ、このキャップ２３０の開放端に半径方向外方に延長して形成されたフランジ部２３１が上部磁気ヨーク２１０の下面にシール接合されている。これによって、接点収納ケース１０２及びキャップ２３０によって、接点機構１０１及び固定鉄心２１１、可動鉄心２１２を密閉空間に配置する密封容器が形成されている。そして、接点収納ケース１０２及びキャップ２３０で形成される密封容器内に水素ガス、窒素ガス、水素及び窒素の混合ガス、空気、ＳＦ６等のガスが封入されている。
【００３０】
次に、上記実施形態の動作を説明する。
今、固定接触子１１１が例えば大電流を供給する電力供給源に接続され、固定接触子１１２が負荷に接続されているものとする。
この状態で、電磁石ユニット２００における励磁コイル２０８が非励磁状態にあって、電磁石ユニット２００で可動鉄心２１２を下降させる励磁力を発生していない釈放状態にあるものとする。この釈放状態では、可動鉄心２１２が復帰スプリング２１４によって、固定鉄心２１１から下方に離れる方向に付勢される。
【００３１】
このため、可動鉄心２１２に連結軸１３１を介して連結されている接点機構１０１の可動接触子１３０の接点部１３０ｃ，１３０ｄが固定接触子１１１及び１１２の平坦な接点部１１５から下方に所定距離だけ離間している。このため、固定接触子１１１及び１１２間の電流路が遮断状態にあり、接点機構１０１が開極状態となっている。
この釈放状態から、負荷に電力を供給するには、電磁石ユニット２００の励磁コイル２０８を励磁し、電磁石ユニット２００で励磁力を発生させて、可動鉄心２１２を固定鉄心２１１で吸引することにより、可動鉄心２１２を復帰スプリング２１４の付勢力に抗して上昇させる。この可動鉄心２１２上昇が、可動鉄心２１２の上面が固定鉄心２１１の下面に当接することにより停止される。
【００３２】
このように、可動鉄心２１２が上昇することにより、可動鉄心２１２に連結軸１３１を介して連結されている可動接触子１３０も上昇し、その接点部１３０ｃ，１３０ｄが固定接触子１１１及び１１２の平坦な接点部１１５に接触スプリング１３９の接触圧で接触する。
このため、外部電力供給源の大電流が固定接触子１１１、可動接触子１３０、及び固定接触子１１２を通じて負荷に供給される閉極状態となる。
この接点機構１０１の閉極状態から、負荷への電流供給を遮断する場合には、電磁石ユニット２００の励磁コイル２０８の励磁を停止する。
【００３３】
これによって、電磁石ユニット２００で可動鉄心２１２を上方に移動させる励磁力がなくなることにより、可動鉄心２１２が復帰スプリング２１４の付勢力によって下降する。
この可動鉄心２１２が下降することにより、連結軸１３１を介して連結された可動接触子１３０が下降する。これに応じて接触スプリング１３９で接触圧を与えている間は可動接触子１３０が固定接触子１１１及び１１２に接触している。その後、接触スプリング１３９の接触圧がなくなった時点で可動接触子１３０が固定接触子１１１及び１１２から下方に離間する開極状態となる。
【００３４】
この開極状態となると、固定接触子１１１及び１１２の平坦な接点部１１５と可動接触子１３０の接点部１３０ｃ，１３０ｄとの間にアークが発生し、このアークによって電流の通電状態が継続される。
このとき、前述したように、固定接触子１１１、可動接触子１３０及び固定接触子１１２を流れる供給電流の値によってアークに作用する力のＸ方向成分及びＹ方向成分が変化するので、アークの伸長方向が略４５度の範囲で変化する。
【００３５】
しかしながら、本実施形態では、固定接触子１１１，１１２の接点部１１５及び可動接触子１３０の接点部１３０ｃ，１３０ｄを通る垂直線と同心状に接点収納ケース１０２の半円筒面１０２ａ及び１０２ｂが形成されている。このため、前述したように、アークの伸長方向が変化してもアークの伸長長さが変化することはなく、アークを安定して発弧させることができる。しかも、アークが半円筒面１０２ａ及び１０２ｂに対して垂直面で接触するのでアークが接触面に留まり、ふらつくことがないので、アーク形状が部分的に途切れることがなく、再発弧を確実に防止することができる。
【００３６】
このように、アークを安定して発弧させることができるとともに、アークが半円筒面１０２ａ及び１０２ｂを円周方向に移動することがなく留まるので、アークの伸長を安定して行うことができ、所定のアーク伸長長さに達したときにアークを確実に消弧することができる。
したがって、電磁接触器１０の遮断性能を向上させることができる。
なお、上記第１の実施形態においては、接点収納ケース１０２の長手方向の両端面にアーク消弧用の永久磁石１４３及び１４４を配置した場合について説明したが、本発明は上記構成に限定されるものではない。
【００３７】
すなわち、図４に示すように、接点収納ケース１０２の短手方向（幅方向）対向する外周面に永久磁石１４５及び１４６を配置するようにしてもよい。この場合には、永久磁石１４５及び１４６の対向面を同一極性すなわち、図４の場合永久磁石１４５の接点収納ケース１０２に接する面をＮ極とし、その反対側をＳ極とし、同様に永久磁石１４６についても接点収納ケース１０２に接する面をＮ極とし、その反対側をＳ極とする。
【００３８】
このように永久磁石１４５及び１４６を配置することにより、両永久磁石１４５及び１４６によって図４に示すよう、固定接触子１１１，１１２の接点部１１５と可動接触子１３０の接点部１３０ｃ、１３０ｄとの間に長手方向に横切る磁束を形成することができ、これら磁束と電流の方向とによって発生するローレンツ力によって開極時に発生するアークを接点収納ケース１０２の内壁の後方側又は前方側に伸長させることができる。
この場合でも、アークの伸長長さはアークの方向が変化しても変化しないので、上述した第１の実施形態と同様の作用効果を得ることができる。
【００３９】
さらには、図５に示すように、接点収納ケース１０２の二対の対向する外周面に永久磁石１４７ａ，１４７ｂと１４８ａ，１４８ｂとを配置するようにしてもよい。この場合には、長手方向の永久磁石１４７ａ及び１４７ｂについては接点収納ケース１０２側をＳ極とし、その反対側をＮ極とする。一方、短手方向（幅方向）の永久磁石１４８ａ，１４８ｂについては接点収納ケース１０２側をＮ極とし、その反対側をＳ極とする。
このように、永久磁石１４７ａ，１４７ｂ及び１４８ａ，１４８ｂを配置し、長手方向及び短手方向で対向面の極性を異極性とすることにより、前述した図４の磁石配置と同方向に大きな磁束を発生することができ、開極時に発生するアークを伸長させるローレンツ力を大きくすることができる。
【００４０】
また、上記実施形態においては、電磁石ユニット２００が固定鉄心２１１及び可動鉄心２１２を有する場合について説明したが、これに限定されるものではなく、固定鉄心２１１を省略し、上部磁気ヨーク２１０と可動鉄心２１２との間に磁気的吸引部を形成するようにしてもよい。
また、電磁石ユニット２００としては上記構成に限定されるものではなく、任意の構成を採用することができ、要は可動接触子１３０を一対の固定接触子１１１，１１２に対して接離可能に駆動できればよいものである。
【００４１】
また、上記実施形態においては、接点収納ケース１０２及びキャップ２３０で密封容器を構成し、この密封容器内にガスを封入する場合について説明したが、これに限定されるものではなく、遮断する電流が低い場合にはガス封入を省略するようにしてもよい。
さらに、上記実施形態においては、本発明を電磁接触器に適用した場合について説明したが、これに限定されるものではなく、電磁継電器等の電磁的に接点を開閉極させる電磁開閉器に本発明を適用することができる。
【符号の説明】
【００４２】
１０…電磁接触器、１１…外装絶縁容器、１００…接点装置、１０１…接点機構、１０２…接点収納ケース（消弧室）、１０３…桶状体、１０４…金属角筒体、１１１，１１２…固定接触子、１１４…支持導体部、１１５…接点部、１３０…可動接触子、１３０ａ，１３０ｂ…半円形端面、１３０ｃ，１３０ｄ…接点部、１３１…連結軸、１３９…接触スプリング、１４３，１４４、１４５，１４６，１４７ａ，１４７ｂ，１４８ａ，１４８ｂ…アーク消弧用永久磁石
【図１】
2014110094.tif 000003
【図２】
2014110094.tif 000004
【図３】
2014110094.tif 000005
【図４】
2014110094.tif 000006
【図５】
2014110094.tif 000007